(57)【要約】【課題】電子番組表を見やすく表示することができるようにする。【解決手段】  設定制御部は、伝送パラメータタイプが「ａ、ｂまたはｃタイプ」であるサービスに、Ｈ−ＥＩＴフラグがある（Ｈ−ＥＩＴフラグ＝１の）場合、そのサービスを「選局およびＥＰＧ表示」の対象と設定し、伝送パラメータタイプが「ａタイプ」であるサービスに、Ｈ−ＥＩＴフラグがない（Ｈ−ＥＩＴフラグ＝０の）場合は、「×（あり得ない）」とし、伝送パラメータタイプが「ｂまたはｃタイプ」であるサービスに、Ｈ−ＥＩＴフラグがない（Ｈ−ＥＩＴフラグ＝０の）場合は、そのサービスを、「非選局およびＥＰＧ非表示」の対象と設定する。本発明は、地上波デジタルテレビジョン放送の信号を受信し、表示する映像信号受信装置に適用できる。【選択図】図４
2005102009.tif 000002
【特許請求の範囲】
【請求項１】
放送信号を受信する信号受信装置において、
受信された前記放送信号から、前記放送信号に含まれるサービスが属する階層で運用される伝送パラメータのタイプを取得する伝送パラメータ取得手段と、
受信された前記放送信号から、前記伝送パラメータ取得手段により前記伝送パラメータのタイプが取得されたサービスの番組情報のタイプを示す所定のフラグを検出するフラグ検出手段と、
前記フラグ検出手段により前記所定のフラグが検出された前記サービスを、選局対象および前記番組情報の表示対象として設定するサービス設定手段と
を備えることを特徴とする信号受信装置。
【請求項２】
前記所定のフラグは、Ｈ−ＥＩＴ(Event Information Table) のフラグである
ことを特徴とする請求項１に記載の信号受信装置。
【請求項３】
前記サービス設定手段により設定された前記サービスに基づいて、受信される前記放送信号のサービスの選局を制御する選局制御手段と、
前記選局制御手段により選局が制御された前記サービスの番組情報を取得する番組情報取得手段と、
前記番組情報取得手段により取得された前記番組情報に基づいて、番組情報リストを構成する番組情報リスト構成手段と
をさらに備えることを特徴とする請求項１に記載の信号受信装置。
【請求項４】
放送信号を受信する信号受信方法において、
受信された前記放送信号から、前記放送信号に含まれるサービスが属する階層で運用される伝送パラメータのタイプを取得する伝送パラメータ取得ステップと、
受信された前記放送信号から、前記伝送パラメータ取得ステップの処理により前記伝送パラメータのタイプが取得されたサービスの番組情報のタイプを示す所定のフラグを検出するフラグ検出ステップと、
前記フラグ検出ステップの処理により前記所定のフラグが検出された前記サービスを、選局対象および前記番組情報の表示対象として設定するサービス設定ステップと
を含むことを特徴とする信号受信方法。
【請求項５】
放送信号を受信する処理をコンピュータに行わせるプログラムが記録される記録媒体であって、
受信された前記放送信号から、前記放送信号に含まれるサービスが属する階層で運用される伝送パラメータのタイプを取得する伝送パラメータ取得ステップと、
受信された前記放送信号から、前記伝送パラメータ取得ステップの処理により前記伝送パラメータのタイプが取得されたサービスの番組情報のタイプを示す所定のフラグを検出するフラグ検出ステップと、
前記フラグ検出ステップの処理により前記所定のフラグが検出された前記サービスを、選局対象および前記番組情報の表示対象として設定するサービス設定ステップと
を含むことを特徴とするプログラムが記録される記録媒体。
【請求項６】
放送信号を受信する処理をコンピュータに行わせるプログラムであって、
受信された前記放送信号から、前記放送信号に含まれるサービスが属する階層で運用される伝送パラメータのタイプを取得する伝送パラメータ取得ステップと、
受信された前記放送信号から、前記伝送パラメータ取得ステップの処理により前記伝送パラメータのタイプが取得されたサービスの番組情報のタイプを示す所定のフラグを検出するフラグ検出ステップと、
前記フラグ検出ステップの処理により前記所定のフラグが検出された前記サービスを、選局対象および前記番組情報の表示対象として設定するサービス設定ステップと
を含むことを特徴とするプログラム。
【発明の詳細な説明】
【技術分野】
【０００１】
本発明は、信号受信装置および方法、記録媒体、並びにプログラムに関し、特に、電子番組表を見やすく表示することができるようにした信号受信装置および方法、記録媒体、並びにプログラムに関する。
【背景技術】
【０００２】
非特許文献１で規定されているように、地上波デジタルテレビジョン放送において提供されるチャンネル（以下、適宜、サービスとも称する）は、そのサービスを受信できる受信機の種類によって、強階層サービス、中階層サービスおよび弱階層サービスに分けられる。強階層サービスは、携帯受信機、移動受信機、および固定受信機で受信されるサービスである。中階層サービスは、移動受信機および固定受信機で受信されるサービスである。弱階層サービスは、固定受信機で受信されるサービスである。
【０００３】
また、これらの階層においては、それぞれ異なる伝送パラメータタイプが運用されており、伝送パラメータタイプによって用いられる電子番組情報のテーブルであるＥＩＴ(Event Information Table)が異なる。ＥＩＴの種類には、固定受信機を対象としたＨ−ＥＩＴ、移動受信機を対象としたＭ−ＥＩＴ、および携帯受信機を対象としたＬ−ＥＩＴがあり、Ｈ−ＥＩＴの場合、８日分の番組の情報を含むことができるが、Ｌ−ＥＩＴおよびＭ−ＥＩＴの場合には、最大１０番組の情報しか含むことができないという違いがある。
【０００４】
【非特許文献１】ARIB TR-B14「地上デジタルテレビジョン放送運用規定技術資料」，1.2版，第一分冊  第２編，社団法人  電波産業会，H14.11.27，Ｐ．４−６３乃至４−８１
【発明の開示】
【発明が解決しようとする課題】
【０００５】
以上より、固定受信機においては、強・中・弱階層のサービスを受信することができる。しかしながら、上述したように、これらの階層サービスにおいては、それぞれの階層で運用される伝送パラメータタイプが異なっており、さらに、その伝送パラメータタイプによって用いることのできるＥＩＴの種類が異なるため、固定受信機に、すべての階層のサービスの電子番組情報が表示されてしまうと、階層によって表示される番組数が異なるため、電子番組情報が見苦しくなる課題があった。
【０００６】
また、固定受信機において、用いられるＥＩＴの種類に基づいて、電子番組情報に表示するサービスを設定した場合には、実際に固定受信機で選局できるサービスが電子番組情報に表示されないなど、選局可能なサービスと、電子番組情報に表示されるサービスとの間に、差異が生じてしまう場合があり、ユーザの混乱を招く課題があった。
【０００７】
本発明は、このような状況に鑑みてなされたものであり、電子番組表を見やすく表示することができるようにするものである。
【課題を解決するための手段】
【０００８】
本発明の信号受信装置は、受信された放送信号から、放送信号に含まれるサービスが属する階層で運用される伝送パラメータのタイプを取得する伝送パラメータ取得手段と、受信された放送信号から、伝送パラメータ取得手段により伝送パラメータのタイプが取得されたサービスの番組情報のタイプを示す所定のフラグを検出するフラグ検出手段と、フラグ検出手段により所定のフラグが検出されたサービスを、選局対象および番組情報の表示対象として設定するサービス設定手段とを備えることを特徴とする。
【０００９】
所定のフラグは、Ｈ−ＥＩＴ(Event Information Table)のフラグであることを特徴とする。
【００１０】
サービス設定手段により設定されたサービスに基づいて、受信される放送信号のサービスの選局を制御する選局制御手段と、選局制御手段により選局が制御されたサービスの番組情報を取得する番組情報取得手段と、番組情報取得手段により取得された番組情報に基づいて、番組情報リストを構成する番組情報リスト構成手段とをさらに備えることを特徴とする。
【００１１】
本発明の信号受信方法は、受信された放送信号から、放送信号に含まれるサービスが属する階層で運用される伝送パラメータのタイプを取得する伝送パラメータ取得ステップと、受信された放送信号から、伝送パラメータ取得ステップの処理により伝送パラメータのタイプが取得されたサービスの番組情報のタイプを示す所定のフラグを検出するフラグ検出ステップと、フラグ検出ステップの処理により所定のフラグが検出されたサービスを、選局対象および番組情報の表示対象として設定するサービス設定ステップとを含むことを特徴とする。
【００１２】
本発明の記録媒体に記録されているプログラムは、受信された放送信号から、放送信号に含まれるサービスが属する階層で運用される伝送パラメータのタイプを取得する伝送パラメータ取得ステップと、受信された放送信号から、伝送パラメータ取得ステップの処理により伝送パラメータのタイプが取得されたサービスの番組情報のタイプを示す所定のフラグを検出するフラグ検出ステップと、フラグ検出ステップの処理により所定のフラグが検出されたサービスを、選局対象および番組情報の表示対象として設定するサービス設定ステップとを含むことを特徴とする。
【００１３】
本発明のプログラムは、受信された放送信号から、放送信号に含まれるサービスが属する階層で運用される伝送パラメータのタイプを取得する伝送パラメータ取得ステップと、受信された放送信号から、伝送パラメータ取得ステップの処理により伝送パラメータのタイプが取得されたサービスの番組情報のタイプを示す所定のフラグを検出するフラグ検出ステップと、フラグ検出ステップの処理により所定のフラグが検出されたサービスを、選局対象および番組情報の表示対象として設定するサービス設定ステップとを含むことを特徴とする。
【００１４】
本発明においては、受信された放送信号から、放送信号に含まれるサービスが属する階層で運用される伝送パラメータのタイプが取得され、受信された放送信号から、伝送パラメータのタイプが取得されたサービスの番組情報のタイプを示す所定のフラグが検出される。そして、所定のフラグが検出されたサービスが、選局対象および番組情報の表示対象として設定される。
【発明の効果】
【００１５】
本発明によれば、電子番組表を見やすく表示することができる。さらに、本発明によれば、番組情報表示の対象と選局対象が統一され、ユーザの混乱を抑制することができる。
【発明を実施するための最良の形態】
【００１６】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００１７】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００１８】
本発明によれば、放送信号を受信する信号受信装置（例えば、図１の映像信号受信装置１）が提供される。この信号受信装置は、受信された放送信号から、放送信号に含まれるサービスが属する階層で運用される伝送パラメータのタイプ（例えば、図５のＴＳ情報記述子の第１１行目の< transmission_type_info >に記述される伝送パラメータ値）を取得する伝送パラメータ取得手段（例えば、図３のパラメータ値取得部８３）と、受信された放送信号から、伝送パラメータ取得手段により伝送パラメータのタイプが取得されたサービスの番組情報のタイプを示す所定のフラグ（例えば、図６のＳＤＴの第１８行目の< H-EIT_flag >）を検出するフラグ検出手段（例えば、図３のＨフラグ検出部８４）と、フラグ検出手段により所定のフラグが検出されたサービスを、選局対象および番組情報の表示対象として設定するサービス設定手段（例えば、図３の設定制御部８１）とを備えることを特徴とする。
【００１９】
この信号受信装置は、サービス設定手段により設定されたサービスに基づいて、受信される放送信号のサービスの選局を制御する選局制御手段（例えば、図２の選局制御部５３）と、選局制御手段により選局が制御されたサービスの番組情報を取得する番組情報取得手段（例えば、図２のＥＰＧ情報取得部５４）と、番組情報取得手段により取得された番組情報に基づいて、番組情報リストを構成する番組情報リスト構成手段（例えば、ＥＰＧデータ構成部５６）とをさらに備えるようにすることができる。
【００２０】
本発明によれば、放送信号を受信する信号受信方法が提供される。この信号受信方法は、受信された放送信号から、放送信号に含まれるサービスが属する階層で運用される伝送パラメータのタイプ（例えば、図５のＴＳ情報記述子の第１１行目の< transmission_type_info >に記述される伝送パラメータ値）を取得する伝送パラメータ取得ステップ（例えば、図７のステップＳ３）と、受信された放送信号から、伝送パラメータ取得ステップの処理により伝送パラメータのタイプが取得されたサービスの番組情報のタイプを示す所定のフラグ（例えば、図６のＳＤＴの第１８行目の< H-EIT_flag >）を検出するフラグ検出ステップ（例えば、図７のステップＳ５）と、フラグ検出ステップの処理により所定のフラグが検出されたサービスを、選局対象および番組情報の表示対象として設定するサービス設定ステップ（例えば、図７のステップＳ６）とを含むことを特徴とする。
【００２１】
なお、本発明の記録媒体およびプログラムも、上述した本発明の信号受信方法と基本的に同様の構成であるため、繰り返しになるのでその説明は省略する。
【００２２】
以下、図を参照して本発明の実施の形態について説明する。
【００２３】
図１は、本発明を適用した映像信号受信装置１の構成例を表している。図１の例の場合、映像信号受信装置１は、ユーザによるリモートコントローラ（以下、リモコンと称する）３の操作に基づいて、アンテナ２を介して、地上波デジタルテレビジョン放送の信号を受信、選局し、内蔵するディスプレイ２２などに表示する。
【００２４】
地上波デジタルテレビジョン放送においては、受信できるチャンネル（以下、適宜、サービスとも称する）は、そのサービスが受信される対象とする受信機によって異なるサービス階層に分けられる。サービス階層は、携帯受信機、移動受信機、および固定受信機で受信できるサービスが属する強階層、移動受信機および固定受信機で受信できるサービスが属する中階層、および、固定受信機で受信できるサービスが属する弱階層により構成される。したがって、地上波デジタルテレビジョン放送の規定では、固定受信機である映像受信装置は、強階層、中階層、および弱階層のサービスを受信することができる。
【００２５】
リモコン３は、１乃至１２の数字ボタンからなるダイレクト選択キー、上下ボタンからなる選択キーおよび各種機能ボタンなどを有しており、ユーザによりリモコン３の図示せぬ発光部が映像信号受信装置１の受光部２６に向けられ、それらのキー又はボタンが押下（操作）されることにより、映像信号受信装置１に指示信号（赤外線信号）を送信する。
【００２６】
図１の映像信号受信装置１においては、ＣＰＵ（Central Processing Unit）１１は、ＲＯＭ(Read Only Memory) １２に記憶されているプログラム、または、ＲＡＭ（Random Access Memory）１３にロードされたプログラム、もしくは操作部２５または受光部２６を介して得られるユーザの指示信号に従って、映像信号受信装置１の各部を制御し、各種の処理を実行する。ＲＡＭ１３にはまた、ＣＰＵ１１が各種の処理を実行する上において必要なデータなどが適宜記憶される。
【００２７】
ＣＰＵ１１、ＲＯＭ１２、およびＲＡＭ１３は、バス１４を介して相互に接続されている。このバス１４にはまた、チューナ１５、フロントエンド部１６、デマルチプレクサ１７、デコーダ部１８、ＯＳＤ（On Screen Display）部１９、映像信号処理部２０、音声信号処理部２１が接続されており、ＣＰＵ１１の制御に応じて、所定の処理を実行する。
【００２８】
チューナ１５は、アンテナ２を介して受信された放送信号を選局し、選局された信号を、フロントエンド部１６に出力する。フロントエンド部１６は、チューナ１５からの信号を、デジタル信号に変換、復調し、デマルチプレクサ１７に出力する。デマルチプレクサ１７は、多重化されたデジタル信号のトランスポートストリームを、映像または音声データなどのストリームや、セクションデータに分離する。デマルチプレクサ１７は、映像データおよび音声データをデコーダ部１８に出力し、セクションデータをＣＰＵ１１に出力する。デコーダ部１８は、デマルチプレクサ１７からの映像データをデコードし、映像信号処理部２０に出力し、また、デマルチプレクサ１７からの音声データをデコードし、音声信号処理部２１に出力する。
【００２９】
ＣＰＵ１１は、デマルチプレクサ１７からのセクションデータのそれぞれの情報をＲＡＭ１３に展開する。セクションデータには、ＮＩＴ（Network Information Table）、ＳＤＴ(Service Description Table)、ＥＰＧ（Electronic Program Guide）情報、またはデータ放送コンテンツ情報などが含まれている。ＮＩＴには、ネットワーク（放送信号）にどのようなサービスが含まれるかなど、ネットワークに含まれるサービスの情報が記述されており、ＳＤＴには、各サービスの情報が記述されている。なお、ＮＩＴは、所定の周期（例えば、１秒）毎に、セクションデータに含まれて送信されており、ＳＤＴも、ＮＩＴとは別のタイミングに、所定の周期毎に、セクションデータに含まれて送信されている。したがって、ＮＩＴとＳＤＴの受信されるタイミングは同じではない。
【００３０】
ＣＰＵ１１は、デマルチプレクサ１７から次々と入力されるセクションデータからＮＩＴ、ＳＤＴをそれぞれ取得し、取得されたＮＩＴおよびＳＤＴの情報に基づいて、選局およびＥＰＧ表示対象となるサービスを設定し、サービスリストとして登録する。そして、ＣＰＵ１１は、登録されたサービスリストに基づいて、チューナ１５に所定のサービスを選局させ、選局されたサービスのセクションデータに含まれるＥＰＧ情報を、ＲＡＭ１３に展開し、所定の形式に変換し、電子番組表データとしてＯＳＤ部１９に出力する。ＯＳＤ部１９は、ＣＰＵ１１からの電子番組表データに基づいて、電子番組表画面情報を生成し、映像信号処理部２０に出力する。
【００３１】
映像信号処理部２０は、デマルチプレクサ１８からの映像データに、ＯＳＤ部１９からの電子番組表画面情報を付加（重畳）し、ＮＴＳＣフォーマットの信号に変換して、電子番組表を、ディスプレイ２２に表示させる。音声信号処理部２１は、デマルチプレクサ１８からの音声データを、スピーカ２３から出力させる。
【００３２】
また、ＣＰＵ１１は、入出力インタフェース２４にも接続されている。入出力インタフェース２４には、入力ボタンやダイヤルなどからなり、ユーザの指示信号を、ＣＰＵ１１に出力する操作部２５、リモコン３からのユーザの指示信号（赤外線信号）を受信し、ユーザの指示信号を、ＣＰＵ１１に出力する受光部２６、図示せぬネットワークを介しての通信処理を行う通信部２７、映像信号受信装置１本体のフロント部分に設置され、映像信号受信装置１の操作に関する情報などを表示するFL(Fluorescent)管などからなる表示部２８が接続されている。
【００３３】
入出力インタフェース２４にはまた、必要に応じてドライブ２９が接続され、磁気ディスク、光ディスク、光磁気ディスク、あるいは半導体メモリなどの記録媒体からなるリムーバブル記録媒体３０が適宜装着される。ドライブ２９は、リムーバブル記録媒体３０よりデータを読み出したり、データを書き込んだりする際に用いられる。リムーバブル記録媒体３０から読み出されたコンピュータプログラムは、必要に応じてＲＯＭ１３や図示せぬ記憶部にインストールされる。なお、コンピュータプログラムは、通信部２７によりネットワークなどを介して配布される場合もある。
【００３４】
図２は、映像信号受信装置１の機能構成例を示すブロック図である。図２に示される機能ブロックは、図１のＣＰＵ１１により所定の制御プログラムが実行されることで実現される。
【００３５】
サービス設定部５１は、デマルチプレクサ１７からのセクションデータに含まれるＮＩＴの情報に基づいて、選局およびＥＰＧ表示の対象候補となるサービスを求め、デマルチプレクサ１７からのセクションデータに含まれるＳＤＴの情報に基づいて、選局およびＥＰＧ表示の対象候補として求められたサービスを、映像信号受信装置１で選局およびＥＰＧ表示の対象であると設定して、サービスリストデータベース（ＤＢ）５２のサービスリストに登録する。サービスリストデータベース５２には、サービス設定部５１により映像信号受信装置１で選局およびＥＰＧ表示の対象であると設定されたサービスがサービスリストとして記憶されている。
【００３６】
選局制御部５３は、ユーザのリモコン３の操作によるチャンネルサーチの指示信号が受光部２６を介して入力されると、サービスリストデータベース５２に記憶されているサービスリストに基づいて、チューナ１５を制御し、所定のサービスを選局させる。また、選局制御部５３は、ＥＰＧ情報データベース（ＤＢ）５５に記憶されているＥＰＧ情報を更新するために、所定の周期毎に、サービスリストデータベース５２に記憶されているサービスリストに基づいて、チューナ１５を制御し、所定のサービスを選局させる。
【００３７】
ＥＰＧ情報取得部５４は、チューナ１５により選局され、フロンドエンド部１６を介して、デマルチプレクサ１７により分離され、入力されるセクションデータに含まれるＥＰＧ情報を取得し、ＥＰＧ情報データベース５５のＥＰＧ情報を更新する。ＥＰＧ情報データベース５５には、ＥＰＧ情報取得部５４により取得されたＥＰＧ情報が記憶されている。ＥＰＧデータ構成部５６は、ユーザのリモコン３の操作による電子番組表の表示の指示信号が受光部２６を介して入力されると、ＥＰＧ情報データベース５５のＥＰＧ情報を読み出し、読み出されたＥＰＧ情報に基づいて、電子番組表データを構成し、所定の形式にして、ＯＳＤ部１９に出力する。
【００３８】
図３は、図２のサービス設定部５１の詳細な機能構成例を示すブロック図である。図３の例においては、サービス設定部５１は、設定制御部８１、テーブル取得部８２、パラメータ値取得部８３、Ｈフラグ検出部８４およびサービスリスト登録部８５により構成される。なお、設定制御部８１は、テーブル取得部８２、パラメータ値取得部８３、およびＨフラグ検出部８４とバス８６を介して相互に接続されている。
【００３９】
設定制御部８１は、テーブル取得部８２により取得されたＮＩＴおよびＳＤＴの各テーブルバージョン番号に基づいて、ＮＩＴまたはＳＤＴが更新されたか否かを判断し、ＮＩＴまたはＳＤＴが更新されたと判断した場合、サービス設定部５１の各部を制御し、所定の処理を実行させる。
【００４０】
ここで、地上波デジタルテレビジョン放送におけるＮＩＴおよびＳＤＴについて説明する。ＮＩＴは、ネットワーク（放送信号）にどのようなサービスが含まれるかを示すテーブルである。ＮＩＴには、図５を参照して後述するが、例えば、ネットワークに含まれる各サービスが属するサービス階層のＴＳ(Transport Stream)が属性として持っている伝送パラメータタイプ値が記述されている。伝送パラメータタイプは、サービス階層（強階層サービス、中階層サービスおよび弱階層サービス）によって異なるものが用いられ、サービス階層が弱階層サービスのときに用いられるａタイプ、サービス階層が中階層サービスのときに用いられるｂタイプ、および、サービス階層が強階層サービスのときに用いられるｃタイプにより構成される。
【００４１】
また、伝送パラメータタイプによって、ＥＰＧ情報を放送するためのテーブルであるＥＩＴ(Event Information Table)も異なるものが用いられる。ＥＩＴの種類には、Ｈ−ＥＩＴ、Ｍ−ＥＩＴおよびＬ−ＥＩＴがあり、伝送パラメータタイプがａタイプの場合（すなわち、強階層では）、Ｈ−ＥＩＴが運用される可能性があるが、Ｍ−ＥＩＴとＬ−ＥＩＴは運用されない。伝送パラメータタイプがｂタイプの場合（すなわち、中階層では）、Ｈ−ＥＩＴとＭ−ＥＩＴが運用される可能性があるが、Ｌ−ＥＩＴは運用されない。伝送パラメータタイプがｃタイプの場合（すなわち、弱階層では）、Ｈ−ＥＩＴ、Ｍ−ＥＩＴ、およびＬ−ＥＩＴが運用される可能性があることが地上波デジタルテレビジョン放送で規定されている。
【００４２】
そして、各サービスで実際に運用されるＥＩＴの情報はＳＤＴに記述されている。ＳＤＴは、各サービスの情報が記述されるテーブルであり、ＳＤＴのサービスループには、図６を参照して後述するが、Ｈ−ＥＩＴ、Ｍ−ＥＩＴ、およびＬ−ＥＩＴのフラグの有無が記述され、これに基づいて、実際に各サービスで運用されるＥＩＴの情報を取得することができる。なお、これらのＥＩＴは、排他的に運用されるわけではなく、サービスによって、複数の種類が運用されることもある。
【００４３】
したがって、強階層、中階層および弱階層のサービスを受信することができる固定受信機においては、固定受信機を対象としたＨ−ＥＩＴだけでなく、移動受信機を対象としたＭ−ＥＩＴまたは携帯受信機を対象としたＬ−ＥＩＴのＥＰＧ情報も受信され、表示される場合がある。しかしながら、ＥＩＴのうち、Ｈ−ＥＩＴは、８日分の番組の情報を含むことができ、固定受信機を対象とされており、一方、Ｍ−ＥＩＴおよびＬ−ＥＩＴは、最大１０番組の情報しか含むことができず、それぞれ移動受信機およびを携帯受信機を対象とするものとされている。したがって、映像信号受信装置１において、番組情報量の異なるＨ−ＥＩＴ、Ｍ−ＥＩＴ、およびＬ−ＥＩＴのＥＰＧ情報を電子番組表として表示させてしまうと、見苦しい表示になる恐れがある。
【００４４】
そこで、設定制御部８１は、パラメータ値取得部８３から伝送パラメータタイプ値を入力すると、入力された伝送パラメータタイプ値に基づいて、選局およびＥＰＧ表示候補のサービスを求め、求められたサービスについて、Ｈフラグ検出部８４を制御し、ＳＤＴからＨ−ＥＩＴフラグ（＝１）を検出させる。設定制御部８１は、Ｈ−ＥＩＴフラグの検出結果に基づいて、そのサービスに対してＨ−ＥＩＴが存在するか否かを判断し、そのサービスに対してＨ−ＥＩＴが存在すると判断した場合、Ｈフラグ検出部８４によりＨ−ＥＩＴフラグが検出されたサービスを、選局およびＥＰＧ表示対象のサービスとして設定し、サービスリスト登録部８５を制御し、サービスリストデータベース５２に登録させる。
【００４５】
図４を参照して、設定制御部８１の選局およびＥＰＧ表示対象サービス設定方法を詳しく説明する。図４の例においては、伝送パラメータタイプは、上述したように、Ｈ−ＥＩＴが運用される可能性がある「ａタイプ」、Ｈ−ＥＩＴとＭ−ＥＩＴが運用される可能性がある「ｂタイプ」、および、Ｈ−ＥＩＴ、Ｍ−ＥＩＴ、およびＬ−ＥＩＴが運用される可能性がある「ｃタイプ」の３つのタイプにより構成されている。
【００４６】
したがって、図４の例においては、伝送パラメータタイプが「ａタイプ」であるサービスに、Ｈ−ＥＩＴフラグがある（Ｈ−ＥＩＴフラグ＝１の）場合、そのサービスを、「選局およびＥＰＧ表示」の対象と設定することが示されており、伝送パラメータタイプが「ａタイプ」であるサービスに、Ｈ−ＥＩＴフラグがない（Ｈ−ＥＩＴフラグ＝０の）場合は、「×（あり得ない）」ことが示されている。また、伝送パラメータタイプが「ｂタイプ」であるサービスに、Ｈ−ＥＩＴフラグがある（Ｈ−ＥＩＴフラグ＝１の）場合、そのサービスを、選局およびＥＰＧ表示対象と設定することが示されており、伝送パラメータタイプが「ｂタイプ」であるサービスに、Ｈ−ＥＩＴフラグがない（Ｈ−ＥＩＴフラグ＝０の）場合は、そのサービスを、「非選局およびＥＰＧ非表示」の対象と設定することが示されている。伝送パラメータタイプが「ｃタイプ」であるサービスに、Ｈ−ＥＩＴフラグがある（Ｈ−ＥＩＴフラグ＝１の）場合、そのサービスを、選局およびＥＰＧ表示対象と設定することが示されており、伝送パラメータタイプが「ｃタイプ」であるサービスに、Ｈ−ＥＩＴフラグがない（Ｈ−ＥＩＴフラグ＝０の）の場合は、そのサービスを「非選局およびＥＰＧ非表示」の対象と設定することが示されている。
【００４７】
すなわち、例えば、伝送パラメータタイプが「ｂタイプ」のサービスにおいて、Ｈ−ＥＩＴフラグが０であれば、Ｍ−ＥＩＴフラグが１であったとしても、そのサービスは、「非選局およびＥＰＧ非表示」の対象と設定され、伝送パラメータタイプが「ｃタイプ」のサービスにおいて、Ｈ−ＥＩＴフラグが０であれば、Ｍ−ＥＩＴフラグまたはＬ−ＥＩＴフラグが１であったとしても、そのサービスは、「非選局およびＥＰＧ非表示」の対象と設定される。
【００４８】
以上のように、Ｈ−ＥＩＴフラグの有無に基づいて、設定制御部８１により選局およびＥＰＧ表示のサービスが設定され、設定されたサービスリストが登録されるので、映像信号受信装置１においては、どの伝送パラメータタイプであっても、Ｈ−ＥＩＴのＥＰＧ情報しか電子番組表としてディスプレイ２２に表示されない。これにより、Ｍ−ＥＩＴまたはＬ−ＥＩＴのＥＰＧ情報は、存在したとしても、電子番組表としてディスプレイ２２に表示されないので、電子番組表の番組リストの表示のされ方が統一され、ユーザにとって見やすい電子番組表を提供することができる。
【００４９】
また、これにより、選局対象とＥＰＧ表示の対象も統一されるので、選局対象とＥＰＧ表示の対象が異なってしまうことが抑制され、選局対象とＥＰＧ表示の対象が異なってしまうことにより生じていたユーザの混乱を抑制することができる。
【００５０】
図３に戻って、テーブル取得部８２は、デマルチプレクサ１７から入力されるセクションデータからＮＩＴを取得し、設定制御部８１およびパラメータ値取得部８３に供給する。また、テーブル取得部８２は、デマルチプレクサ１７から入力されるセクションデータからＳＤＴを取得し、設定制御部８１およびＨフラグ検出部８４に供給する。パラメータ値取得部８３は、テーブル取得部８２より供給されたＮＩＴのＴＳループに含まれるＴＳ情報記述子から伝送パラメータタイプ値を取得し、取得された伝送パラメータタイプ値を設定制御部８１に出力する。
【００５１】
Ｈフラグ検出部８４は、テーブル取得部８２より供給されたＳＤＴに基づいて、設定制御部８１により求められたサービスに、Ｈ−ＥＩＴフラグ（＝１）があるか否かを検出し、その検出結果を設定制御部８１に出力する。サービスリスト登録部８５は、設定制御部８１により選局およびＥＰＧ表示対象として設定されたサービスをサービスリストデータベース５２のサービスリストに登録する。
【００５２】
図５は、ＮＩＴのＴＳループに含まれるＴＳ情報記述子のデータ構造を示している。なお、図５において、各行頭の数字と、コロン記号（：）は、説明の便宜上付加したものであり、データの一部ではない。また、データ構造の右側には、同じ行に位置するフィールドのビット数が示されている。
【００５３】
図５の例においては、第１行目の< ts_information_descriptor(){ >から、第２０行目の<  } >までの間に、ＴＳ情報記述子が記述されている。第２行目の< descriptor_tag >は、８ビットのフィールドであり、このデータがＴＳ情報記述子であることを示す識別子が記述される。第３行目の< descriptor_length >は、８ビットのフィールドであり、ＴＳ情報記述子の記述子長が記述される。第４行目の< remote_control_key_id >は、８ビットのフィールドであり、リモコンキーＩＤ（Identifier）値が記述される。第５行目の< length_of_ts_name >は、６ビットのフィールドであり、ＴＳ名記述のバイト長が記述される。第６行目の< transmission_type_count >は、２ビットのフィールドであり、以降に記載される伝送パラメータタイプ数（このＴＳを構成する階層数）が記述される。
【００５４】
第７行目の< for(i = 0;i< length_of_ts_name;i++){ >乃至第９行目の< } >は、第８行目の< ts_name_char >のループであり、第８行目の< ts_name_char >は、８ビットのフィールドであり、このトランスストリームの名称が記述される。第１０行目の< for(j = 0;j< transmission_type_count;j++){ >乃至第１６行目の< } >は、第１１行目の< transmission_type_info >のループであり、第１１行目の< transmission_type_info >は、８ビットのフィールドであり、伝送パラメータタイプ値や変調方式などが記述され、伝送階層の区別に用いられる。第１２行目の< num_of_service >は、８ビットのフィールドであり、この階層をサービス階層とするサービスの数が記述される。第１３行目の< for(k = 0;k< num_of_service;k++){ >乃至第１５行目の< } >は、第１４行目の< service_id >のループであり、第１４行目の< service_id >は、１６ビットのフィールドであり、この階層をサービス階層とするサービスのサービスＩＤ（Identifier）が記述される。
【００５５】
第１７行目の< for(l = 0;l<N;l++){ >乃至第１９行目の< } >は、第１８行目の< reserved_future_use >のループであり、第１８行目の< reserved_future_use >は、８ビットのフィールドであり、将来のための予約領域とされる。
【００５６】
以上のように、ＮＩＴのＴＳループに含まれるＴＳ情報記述子の第１１行目の< transmission_type_info >には、伝送パラメータタイプ値が記述されている。したがって、パラメータ値取得部８３は、ＮＩＴのＴＳループに含まれるＴＳ情報記述子の< transmission_type_info >に記述されている伝送パラメータタイプ値を取得する。
【００５７】
図６は、ＳＤＴのデータ構造を示している。なお、図６において、各行頭の数字と、コロン記号（：）は、説明の便宜上付加したものであり、データの一部ではない。また、データ構造の右側には、同じ行に位置するフィールドのビット数が示されている。
【００５８】
図６の例においては、第１行目の< service_description_section(){ >から、第３１行目の<  } >までの間に、ＳＤＴが記述されている。第２行目の< table_id >は、８ビットのフィールドであり、このテーブルが対象ＴＳのＳＤＴであることを示す識別子が記述される。第３行目の< section_syntax_indicator >は、１ビットのフィールドであり、このセクションの有効無効が記述される。第４行目の< reserved_future_use >は、１ビットのフィールドであり、将来のための予約領域である。第５行目の< reserved >は、２ビットのフィールドであり、予約領域である。第６行目の< section_length >は、１２ビットのフィールドであり、ＳＤＴのセクション長が記述される。
【００５９】
第７行目の< transport_stream_id >は、１６ビットのフィールドであり、対象のＴＳの識別子（transport_stream_id）が記述される。第８行目の< reserved >は、２ビットのフィールドであり、予約領域である。第９行目の< version_number >は、５ビットのフィールドであり、バージョン番号が記述され、バージョンの更新毎に値がインクリメントされる。第１０行目の< current_next_indicator >は、１ビットのフィールドであり、このセクションの有効無効が記述される。第１１行目の< section_number >は、８ビットのフィールドであり、このサブテーブル内でのセクション番号が記述される。第１２行目の< last_section_number >は、８ビットのフィールドであり、このサブテーブル内での最終セクション番号が記述される。第１３行目の< original_network_id >は、１６ビットのフィールドであり、バージョン番号が記述され、対象ネットワークの識別子（network_id）が記述される。第１４行目の< reserved_future_use >は、８ビットのフィールドであり、将来のための予約領域である。
【００６０】
第１５行目の< for(i = 0;i<N;i++){ >乃至第２９行目の< } >は、第１６行目乃至第２８行目のサービスループである。第１６行目の< service_id >は、１６ビットのフィールドであり、対象チャンネル（サービス）の識別子（service_id）が記述される。第１７行目の< reserved_future_use >は、３ビットのフィールドであり、将来のための予約領域である。第１８行目の< H-EIT_flag >は、１ビットのフィールドであり、「１」の場合、このサービスに対するＨ−ＥＩＴが存在することが示され、「０」の場合、このサービスに対するＨ−ＥＩＴが存在しないことが示される。第１９行目の< M-EIT_flag >は、１ビットのフィールドであり、「１」の場合、このサービスに対するＭ−ＥＩＴが存在することが示され、「０」の場合、このサービスに対するＭ−ＥＩＴが存在しないことが示される。第２０行目の< L-EIT_flag >は、１ビットのフィールドであり、「１」の場合、このサービスに対するＬ−ＥＩＴが存在することが示され、「０」の場合、このサービスに対するＬ−ＥＩＴが存在しないことが示される。
【００６１】
第２１行目の< EIT_schedule_flag >は、１ビットのフィールドであり、「１」の場合、このサービスに対するＨ−ＥＩＴ(schedule basic)が対象ＴＳ内に存在することが示され、「０」の場合、このサービスに対するＨ−ＥＩＴ(schedule basic)が存在しないことが示される。第２２行目の< EIT_present_following_flag >は、１ビットのフィールドであり、「１」の場合、このサービスに対するＥＩＴ(present following)が対象ＴＳ内に存在することが示され、「０」の場合、このサービスに対するＨ−ＥＩＴ(present following)が存在しないことが示される。
【００６２】
第２３行目の< running_status >は、３ビットのフィールドであり、未定義とされる。第２４行目の< free_CA_mode >は、１ビットのフィールドであり、「１」の場合、このサービスが有料番組を基本としていることが示され、「０」の場合、このサービスが無料番組を基本としていることが示される。第２５行目の< descriptors_loop_length >は、１２ビットのフィールドであり、後続の記述子ループ長が記述される。
【００６３】
第２６行目の< for(j = 0;j<M;j++){ >乃至第２８行目の< } >は、第１８行目の< descriptor() >のループであり、第２８行目の< descriptor() >は、記述子が記述される。第３０行目の< CRC_32 >は、３２ビットのフィールドであり、巡回冗長検査（Cyclic Redundancy Check Code）が記述される。
【００６４】
以上のように、ＳＤＴの第１６行目の< service_id >には、サービスの識別子が記述されており、ＳＤＴの第１８行目の< H-EIT_flag >には、このサービスに対するＨ−ＥＩＴの有（Ｈ−ＥＩＴフラグ＝１）または無（Ｈ−ＥＩＴフラグ＝０）が記述されている。したがって、Ｈフラグ検出部８４は、ＳＤＴの< service_id >のＳＤＴの< H-EIT_flag >に１が記述されていることを検出し、その検出結果を設定制御部８１に出力する。
【００６５】
また、ＳＤＴの第９行目の< version_number >には、バージョン番号が記述されている。したがって、設定制御部８１は、この< version_number >が変更された場合に、ＳＤＴが更新されたことを判断する。
【００６６】
次に、図７のフローチャートに基づいて、映像信号受信装置１のサービスリスト設定処理を説明する。
【００６７】
チューナ１５は、アンテナ２を介して受信された放送信号を選局し、選局された信号を、フロントエンド部１６に出力する。フロントエンド部１６は、チューナ１５からの信号を、デジタル信号に変換、復調し、デマルチプレクサ１７に出力する。デマルチプレクサ１７は、多重化されたデジタル信号のトランスポートストリームを、映像または音声データなどのストリームや、セクションデータに分離する。デマルチプレクサ１７は、映像データおよび音声データをデコーダ部１８に出力し、セクションデータを、サービス設定部５１およびＥＰＧ情報取得部５４に出力する。
【００６８】
サービス設定部５１のテーブル取得部８２には、次々にセクションデータが入力される。テーブル取得部８２は、入力されたセクションデータからＮＩＴを取得すると、取得されたＮＩＴを設定制御部８１およびパラメータ値取得部８３に供給し、また、別のタイミングに入力されたセクションデータからＳＤＴを取得すると、取得されたＳＤＴを設定制御部８１およびＨフラグ検出部８４に供給する。
【００６９】
設定制御部８１は、ステップＳ１において、テーブル取得部８２からＮＩＴを入力すると、ＮＩＴのバージョン番号に基づいて、ＮＩＴが更新されているか否かを判断し、ＮＩＴが更新されていると判断した場合、ステップＳ３に進む。なお、ＮＩＴが更新されるのは、ＮＩＴのチャンネル構成などが変更されたときなどである。
【００７０】
設定制御部８１は、ステップＳ１において、ＮＩＴが更新されていないと判断した場合、ステップＳ２に進み、テーブル取得部８２からＳＤＴを入力すると、図６のＳＤＴの第９行目の< version_number >に記述されているバージョン番号に基づいて、ＳＤＴが更新されているか否かを判断し、ＳＤＴが更新されていると判断した場合、ステップＳ３に進む。なお、ＳＤＴが更新されるのは、チャンネルの名前などが変更されたときなどである。
【００７１】
設定制御部８１は、ステップＳ３において、パラメータ値取得部８３を制御し、ＮＩＴのＴＳループに含まれるＴＳ情報記述子の< transmission_type_info >に記述されている伝送パラメータタイプ値を取得させ、ステップＳ４において、取得された伝送パラメータ値に基づいて、選局およびＥＰＧ表示候補のサービスを求め、ステップＳ５に進む。設定制御部８１は、ステップＳ５において、Ｈフラグ検出部８４を制御し、ステップＳ４において求められた各サービスについて、ＳＤＴの< H-EIT_flag >に記述されている値（Ｈ−ＥＩＴフラグ＝１）を検出させ、その検出結果に基づいて、このサービスに対するＨ−ＥＩＴが存在するか否かを判断する。
【００７２】
ステップＳ５において、このサービスに対するＨ−ＥＩＴが存在すると判断された場合、ステップＳ６に進み、設定制御部８１は、図４を参照して上述したように、Ｈフラグ検出部８４によりＨ−ＥＩＴフラグ（Ｈ−ＥＩＴフラグ＝１）が検出されたサービスを、選局およびＥＰＧ表示の対象として設定し、サービスリスト登録部８５を制御し、設定されたサービスをサービスリストデータベース５２のサービスリストに登録させ、ステップＳ８に進む。
【００７３】
ステップＳ５において、このサービスに対するＨ−ＥＩＴが存在しないと判断された場合、ステップＳ７に進み、設定制御部８１は、Ｈ−ＥＩＴフラグ（１）が検出されなかったサービスを非選局および非ＥＰＧ表示の対象であると設定し、そのサービスを、サービスリストには登録せず、ステップＳ８に進む。
【００７４】
設定制御部８１は、ステップＳ８において、ステップＳ４において求められたすべてのサービスについて設定処理が終了したか否かを判断し、すべてのサービスについて設定処理が終了したと判断した場合、サービスリスト登録処理を終了する。ステップＳ８において、まだ、ステップＳ４において求められたすべてのサービスについて設定処理が終了していないと判断された場合、ステップＳ５に戻り、それ以降の処理を繰り返す。
【００７５】
一方、ステップＳ２において、ＳＤＴが更新されていないと判断された場合、すなわち、ＮＩＴもＳＤＴも更新されていないので、サービスリストの更新をする必要がないため、サービスリスト設定処理を終了する。
【００７６】
なお、図７においては、ＮＩＴまたはＳＤＴが更新された場合にサービスリスト登録処理が実行されるように説明したが、図７のステップＳ３乃至Ｓ８のサービスリスト設定処理は、地上波デジタルテレビジョン放送のチャンネル初期スキャン時（例えば、映像信号受信装置１が購入、設置されるとき）に実行されるようにしてもよいし、地上波デジタルテレビジョン放送のチャンネル再スキャン時（例えば、ユーザが引越しを行ったことにより、映像信号受信装置１の設置地域が変わったとき）などに実行されるようにしてもよい。
【００７７】
以上のように、Ｈ−ＥＩＴフラグが１であるサービスのみが選局およびＥＰＧ表示の対象として、サービスリストに登録される。
【００７８】
次に、図８のフローチャートを参照して、上述したサービスリストに基づいて実行されるＥＰＧ情報取得処理について説明する。
【００７９】
選局制御部５３は、ステップＳ２１において、内蔵するクロックで計時動作を行って、予め設定されている所定の時間が経過するまで待機しており、所定の時間が経過したと判断した場合、ステップＳ２２に進み、サービスリストデータベース５２に登録されているサービスリストに基づいて、チューナ１５に、所定のサービス（チャンネル）を選局させ、ステップＳ２３に進む。
【００８０】
具体的には、チューナ１５は、選局制御部５３の制御のもと、所定のサービスの放送信号を選局し、選局された信号を、フロントエンド部１６に出力する。フロントエンド部１６は、チューナ１５からの信号を、デジタル信号に変換、復調し、デマルチプレクサ１７に出力する。デマルチプレクサ１７は、多重化されたデジタル信号のトランスポートストリームを、映像または音声データなどのストリームや、セクションデータに分離する。デマルチプレクサ１７は、映像データおよび音声データをデコーダ部１８に出力し、セクションデータをＥＰＧ情報取得部５４に出力する。
【００８１】
ＥＰＧ情報取得部５４は、ステップＳ２３において、デマルチプレクサ１７より入力されるセクションデータからＥＰＧ情報を取得し、取得されたＥＰＧ情報をＥＰＧ情報データベース５５に登録し、ＥＰＧ情報取得処理を終了する。
【００８２】
以上のように、所定の周期で、サービスリストに基づいて、サービスが選局され、選局されたサービスの放送信号からＥＰＧ情報が取得され、取得されたＥＰＧ情報がＥＰＧ情報データベース５５に登録される。したがって、ＥＰＧ情報データベース５５には、選局対象のサービスの、Ｈ−ＥＩＴのＥＰＧ情報が登録される。
【００８３】
なお、図８においては、所定の周期で所定のサービスを選局し、選局されたサービスのＥＰＧ情報を取得するようにしたが、ユーザのリモコン１１の操作によるＥＰＧ情報更新指示に基づいてＥＰＧ情報を取得するようにしてもよいし、ＥＰＧ情報を取得する映像信号受信装置１の負荷を軽減するために、映像信号受信装置１の電源ＯＦＦ時に、所定のサービスを選局し、選局されたサービスのＥＰＧ情報を取得するようにしてもよい。また、図８においては、サービスを選局してＥＰＧ情報を取得する場合を説明したが、サービスの選局のみの場合も、サービスリストに基づいて、サービスが選局される。
【００８４】
次に、図９のフローチャートを参照して、映像信号受信装置１の電子番組表の表示処理について説明する。
【００８５】
ユーザは、リモコン３を操作し、電子番組表の表示を指示する。受光部２６は、リモコン３からの指示信号をＥＰＧデータ構成部５６に出力する。ＥＰＧデータ構成部５６は、ステップＳ４１において、電子番組表の表示が指示されるまで待機しており、受光部２６からの電子番組表の表示の指示信号を入力すると、電子番組表の表示が指示されたと判断し、ステップＳ４２に進み、ＥＰＧ情報データベース５５に登録されているＥＰＧ情報を取得し（読み出し）、ステップＳ４３に進む。ＥＰＧ情報データベース５５には、図８を参照して上述したように、選局およびＥＰＳ表示対象のサービス（Ｈ−ＥＩＴ）のＥＰＧ情報が登録されている。したがって、ＥＰＧデータ構成部５６は、ステップＳ４３において、Ｈ−ＥＩＴのＥＰＧ情報に基づいて、電子番組表データを生成し、生成された電子番組表データを、ＯＳＤ部１９に出力し、ステップＳ４４に進む。ＯＳＤ部１９は、ＣＰＵ１１からの電子番組表データに基づいて、電子番組表画面情報を生成し、映像信号処理部２０に出力する。
【００８６】
映像信号処理部２０は、ステップＳ４４において、デマルチプレクサ１８からの映像データに、ＯＳＤ部１９からの電子番組表画面情報を付加（重畳）し、ＮＴＳＣフォーマットの信号に変換して、電子番組表を、ディスプレイ２２に表示させ、電子番組表の表示処理を終了する。
【００８７】
以上のように、サービスリストに基づいて、サービスが選局され、選局されたサービスの放送信号からＨ−ＥＩＴのＥＰＧ情報が取得され、取得されたＨ−ＥＩＴのＥＰＧ情報に基づいて、電子番組表が表示されるので、電子番組表の番組リスト表示が統一されて、見やすくなる。
【００８８】
すなわち、Ｈ−ＥＩＴフラグが１であるサービスのみが選局およびＥＰＧ表示の対象として、サービスリストに登録され、登録されたサービスリストに基づいて、サービスが選局されたり、電子番組情報が表示される。したがって、選局されるサービスと電子番組表に表示されるサービスが統一されるので、選局されるサービスと電子番組表示に表示されるサービスが異なることにより生じていたユーザの混乱を抑制することができる。
【００８９】
なお、上記説明においては、ディスプレイ２２を内蔵した映像信号受信装置１を用いて説明したが、外部のテレビジョン装置と接続される映像信号受信装置であってもよいし、セットトップボックスなどにより構成されるようにしてもよい。また、上記説明においては、固定受信機として、映像信号受信装置１を用いて説明したが、移動受信機や受信機にも本発明を提供することができる。すなわち、判断に用いられるフラグも、Ｈ−ＥＩＴフラグのみに限らず、移動受信機の場合には、例えば、Ｍ−ＥＩＴのみを選局およびＥＰＧ表示の対象とするようにすることもできる。
【００９０】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム格納媒体からインストールされる。
【００９１】
コンピュータにインストールされ、コンピュータによって実行可能な状態とされるプログラムを格納するプログラム格納媒体は、図１に示されるように、磁気ディスク（フレキシブルディスクを含む）、光ディスク（CD-ROM(Compact Disc-Read Only Memory)、DVD(Digital Versatile Disc)を含む）、光磁気ディスク（MD(Mini-Disc)（商標）を含む）、もしくは半導体メモリなどよりなるリムーバブル記録媒体（パッケージメディア）３０、または、プログラムが一時的もしくは永続的に格納されるＲＯＭ１２などにより構成される。
【００９２】
なお、本明細書において、フローチャートに示されるステップは、記載された順序に従って時系列的に行われる処理はもちろん、必ずしも時系列的に処理されなくとも、並列的あるいは個別に実行される処理をも含むものである。
【図面の簡単な説明】
【００９３】
【図１】本発明の映像信号受信装置の構成例を示すブロック図である。
【図２】図１の映像信号受信装置の機能構成例を示す機能ブロック図である。
【図３】図２のサービス設定部のより詳細な機能構成例を示す機能ブロック図である。
【図４】図３の設定制御部が実行するサービスリスト設定方法を説明する図である。
【図５】ＮＩＴのＴＳループのＴＳ情報記述子のデータ構造の例を示す図である。
【図６】ＳＤＴのデータ構造の例を示す図である。
【図７】図１の映像信号受信装置のサービスリスト設定処理を説明するフローチャートである。
【図８】図１の映像信号受信装置のＥＰＧ情報取得処理を説明するフローチャートである。
【図９】図１の映像信号受信装置の電子番組表の表示処理を説明するフローチャートである。
【符号の説明】
【００９４】
１  映像信号受信装置，１１  ＣＰＵ，１２  ＲＯＭ，１３  ＲＡＭ，１５  チューナ，１７  デマルチプレクサ，１９  ＯＳＤ部，２０  映像信号処理部，２２  ディスプレイ，２６  受光部，５１  サービス設定部，５２  サービスリストＤＢ，５３  選局制御部，５４  ＥＰＧ情報取得部，５５  ＥＰＧ情報ＤＢ，５６  ＥＰＧデータ構成部，８１  設定制御部，８２  テーブル取得部，８３  パラメータ値取得部，８４  Ｈフラグ検出部，８５  サービスリスト登録部
【図１】
2005102009.tif 000003
【図２】
2005102009.tif 000004
【図３】
2005102009.tif 000005
【図４】
2005102009.tif 000006
【図５】
2005102009.tif 000007
【図６】
2005102009.tif 000008
【図７】
2005102009.tif 000009
【図８】
2005102009.tif 000010
【図９】
2005102009.tif 000011